(57)【特許請求の範囲】
【請求項１】
回線の閉結前に交換機側から送られる相手側装置の識別番号を受信する第１番号受信手段と、回線の閉結後、相手側装置から送られる画像データを受信するデータ受信手段とを備えた多機能周辺装置において、
相手側装置の識別番号と、その相手側装置の識別番号の各々に対応つけて、前記データ受信手段により画像データを受信したことを示す返信メッセージ、若しくは、前記データ受信手段により受信した画像データを送信する転送先装置の識別番号、または、前記データ受信手段により受信した画像データを配信するローカルエリアネットワークにより接続された配信先装置の識別情報の内の少なくとも一以上のデータとを記憶する記憶手段と、
その記憶手段に記憶されている相手側装置の識別番号の中に、前記第１番号受信手段により受信された相手側装置の識別番号と一致するものがあるか否かを判断する判断手段と、
その判断手段により一致する識別番号があると判断された場合に、その一致する識別番号に対応つけて前記記憶手段に記憶されているデータを順に読込み、その読込んだデータが、前記返信メッセージであるか、若しくは、前記転送先装置の識別番号であるか、又は、前記配信先装置の識別情報であるかを判別する判別手段と、
その判別手段により前記記憶手段に記憶されているデータが前記返信メッセージであると判別された場合に、その返信メッセージを前記判断手段により一致すると判断された識別番号の相手側装置に送信し、前記判別手段により前記記憶手段に記憶されているデータが前記転送先装置の識別番号であると判別された場合に、その転送先装置へ前記データ受信手段により受信した画像データを送信し、前記判別手段により前記記憶手段に記憶されているデータが前記配信先装置の識別情報であると判別された場合に、その配信先装置へ前記データ受信手段により受信した画像データを送信する送信手段とを備えていることを特徴とする多機能周辺装置。
【請求項２】
前記送信手段は、前記データ受信手段により画像データを受信し回線を開放した後に、前記判断手段により一致すると判断された識別番号の相手側装置または前記記憶手段に記憶されている転送先装置へ発呼する発呼手段と、前記判別手段により前記記憶手段に記憶されているデータが配信先装置の識別情報であると判別された場合に、その配信先装置の電源が入力されているか否かを確認する確認手段とを備え、前記発呼手段により発呼された相手側装置が回線を閉結した場合に、その相手側装置へ前記返信メッセージを送信し、前記発呼手段により発呼された転送先装置が回線を閉結した場合に、その転送先装置へ前記データ受信手段により受信した画像データを送信し、前記確認手段により電源が入力されていると確認された場合に、その転送先装置へ前記データ受信手段により受信した画像データを送信することを特徴とする請求項１に記載の多機能周辺装置。
【請求項３】
回線の閉結後に相手側装置から送られるその相手側装置の識別番号を受信する第２番号受信手段を備えており、
前記第１番号受信手段により相手側装置の識別番号が受信されなかった場合、前記判断手段は、前記記憶手段に記憶されている相手側装置の識別番号の中に、前記第２番号受信手段により受信された相手側装置の識別番号と一致するものがあるか否かを判断することを特徴とする請求項１又は２に記載の多機能周辺装置。
【請求項４】
所定の返信メッセージを記憶する所定メッセージ記憶手段を備えており、前記判断手段により一致する識別番号がないと判断された場合に、前記送信手段は、前記所定メッセージ記憶手段に記憶されている所定の返信メッセージを送信することを特徴とする請求項１から３のいずれかに記載の多機能周辺装置。
【請求項５】
前記判別手段により前記記憶手段に記憶されているデータが前記転送先装置の識別番号および前記配信先装置の識別情報のいずれでもないと判別された場合に、前記データ受信手段により受信された画像データを記録紙へ印刷する印刷手段を備えていることを特徴とする請求項１から４のいずれかに記載の多機能周辺装置。
【発明の詳細な説明】
【０００１】
【発明の属する技術分野】
本発明は多機能周辺装置に関し、特に、相手側装置から送られる画像データを受信した場合に、その画像データを受信したことを相手側装置（発信者）へ報知することができる多機能周辺装置に関するものである。
【０００２】
【従来の技術】
ファクシミリ装置は、相手側のファクシミリ装置（相手側装置）から送られる画像データを受信して記録紙へ印刷したり、或いは、原稿表面の文字や図形を画像データとして読み取って相手側装置へ送信するものである。即ち、このファクシミリ装置によって相手側装置（発信者）から送られる画像データが受信されると、その画像データは、画像メモリに記憶されるか、若しくは、プリンタによって記録紙へ印刷される。
【０００３】
【発明が解決しようとする課題】
しかしながら、ファクシミリ装置では、電話装置とは異なり、発信者が受信者を通話（通信）により直接確認することができない。このため、発信者が画像データを送信しようとする目的のファクシミリ装置の電話番号を別のファクシミリ装置の電話番号と誤って記憶している場合には、画像データが別のファクシミリ装置へ送信されてもその別のファクシミリ装置において画像データが受信されてしまうので、発信者は目的のファクシミリ装置で画像データが受信されたと誤認してしまうという問題点があった。即ち、発信者は、ファクシミリ装置へ画像データを送信しても、その画像データが受信されるべき目的のファクシミリ装置において受信されたか否かを判断することができないという問題点があった。
【０００４】
ところで、ファクシミリ装置の中には、相手側装置からファクシミリ装置へ画像データが送信された場合に、その画像データを受信したことを相手側装置へ送信する返信（リプライ）機能を備えたものがある。この場合、その相手側装置の電話番号は、相手側装置とファクシミリ装置との間で所定のプロトコルに沿って送受信される種々の信号のうちの１つであるＴＳＩ（Transmitting Subscriber Identification）信号によって認識することができる。しかしながら、このＴＳＩ信号は、相手側装置からファクシミリ装置へ必ず送信されるものではなく、予め相手側装置自体にその相手側装置の電話番号が登録されていないと送信されない。よって、ファクシミリ装置は、相手側装置から画像データを受信しても、ＴＳＩ信号を受信することができなければ、画像データを受信したことを相手側装置へ報知することができないという問題点があった。
【０００５】
本発明は上記した問題点を解決するためになされたものであり、相手側装置から送られる画像データを受信した場合に、その画像データを受信したことを相手側装置（発信者）へ報知することができる多機能周辺装置を提供することを目的としている。
【０００６】
【課題を解決するための手段】
この目的を達成するために請求項１記載の多機能周辺装置は、回線の閉結前に交換機側から送られる相手側装置の識別番号を受信する第１番号受信手段と、回線の閉結後、相手側装置から送られる画像データを受信するデータ受信手段と、相手側装置の識別番号と、その相手側装置の識別番号の各々に対応つけて、前記データ受信手段により画像データを受信したことを示す返信メッセージ、若しくは、前記データ受信手段により受信した画像データを送信する転送先装置の識別番号、または、前記データ受信手段により受信した画像データを配信するローカルエリアネットワークにより接続された配信先装置の識別情報の内の少なくとも一以上のデータとを記憶する記憶手段と、その記憶手段に記憶されている相手側装置の識別番号の中に、前記第１番号受信手段により受信された相手側装置の識別番号と一致するものがあるか否かを判断する判断手段と、その判断手段により一致する識別番号があると判断された場合に、その一致する識別番号に対応つけて前記記憶手段に記憶されているデータを順に読込み、その読込んだデータが、前記返信メッセージであるか、若しくは、前記転送先装置の識別番号であるか、又は、前記配信先装置の識別情報であるかを判別する判別手段と、その判別手段により前記記憶手段に記憶されているデータが前記返信メッセージであると判別された場合に、その返信メッセージを前記判断手段により一致すると判断された識別番号の相手側装置に送信し、前記判別手段により前記記憶手段に記憶されているデータが前記転送先装置の識別番号であると判別された場合に、その転送先装置へ前記データ受信手段により受信した画像データを送信し、前記判別手段により前記記憶手段に記憶されているデータが前記配信先装置の識別情報であると判別された場合に、その配信先装置へ前記データ受信手段により受信した画像データを送信する送信手段とを備えている。
【０００７】
請求項１記載の多機能周辺装置によれば、回線の閉結前に、交換機側から送られる相手側装置の識別番号は第１番号受信手段により受信される。相手側装置から送られる画像データは、回線の閉結後に、データ受信手段により受信される。画像データを受信すると、判断手段により、第１番号受信手段により受信した相手側装置の識別番号が、予め、記憶手段に記憶されている相手側装置の識別番号と一致するか否かが判断される。その結果、一致する識別番号があると判断された場合には、判別手段により、その一致する識別番号に対応つけて記憶手段に記憶されているデータを順に読込み、その読込んだデータが、返信メッセージであるか、若しくは、前記転送先装置の識別番号であるか、又は、前記配信先装置の識別情報であるかが判別される。そうして、その判別手段により記憶手段に記憶されているデータが返信メッセージであると判別された場合には、その返信メッセージが判断手段により一致すると判断された識別番号の相手側装置に送信され、判別手段により記憶手段に記憶されているデータが転送先装置の識別番号であると判別された場合には、その転送先装置へデータ受信手段により受信した画像データが送信され、判別手段により記憶手段に記憶されているデータが配信先装置の識別情報であると判別された場合には、その配信先装置へデータ受信手段により受信した画像データが送信される。
【０００８】
請求項２記載の多機能周辺装置は、請求項１記載の多機能周辺装置において、前記送信手段は、前記データ受信手段により画像データを受信し回線を開放した後に、前記判断手段により一致すると判断された識別番号の相手側装置または前記記憶手段に記憶されている転送先装置へ発呼する発呼手段と、前記判別手段により前記記憶手段に記憶されているデータが配信先装置の識別情報であると判別された場合に、その配信先装置の電源が入力されているか否かを確認する確認手段とを備え、前記発呼手段により発呼された相手側装置が回線を閉結した場合に、その相手側装置へ前記返信メッセージを送信し、前記発呼手段により発呼された転送先装置が回線を閉結した場合に、その転送先装置へ前記データ受信手段により受信した画像データを送信し、前記確認手段により電源が入力されていると確認された場合に、その転送先装置へ前記データ受信手段により受信した画像データを送信するものである。
請求項２記載の多機能周辺装置によれば、請求項１に記載の多機能周辺装置と同様に作用する上、データ受信手段により画像データを受信し回線を開放した後に、前記判断手段により一致すると判断された識別番号の相手側装置に前記返信メッセージを送信する場合には、予め、その相手側装置が発呼手段により発呼され、発呼された相手側装置が回線を閉結すると返信メッセージが送信される。また、前記記憶手段に記憶されている転送先装置へ前記データ受信手段により受信した画像データを送信する場合には、予め、その転送先装置が発呼手段により発呼され、発呼された転送先装置が回線を閉結すると画像データが送信される。更に、判別手段により記憶手段に記憶されているデータが配信先装置の識別情報であると判別され、その配信先装置の識別情報にデータ受信手段により受信した画像データを送信する場合には、予め、確認手段により、その配信先装置の電源が入力されているか否かを確認され、その確認手段により電源が入力されていると確認されると画像データが配信先装置に送信される。
【０００９】
請求項３記載の多機能周辺装置は、請求項１または２に記載の多機能周辺装置において、回線の閉結後に相手側装置から送られるその相手側装置の識別番号を受信する第２番号受信手段を備えており、前記第１番号受信手段により相手側装置の識別番号が受信されなかった場合、前記判断手段は、前記記憶手段に記憶されている相手側装置の識別番号の中に、前記第２番号受信手段により受信された相手側装置の識別番号と一致するものがあるか否かを判断するものである。
【００１０】
【００１１】
請求項４記載の多機能周辺装置は、請求項１から３のいずれかに記載の多機能周辺装置において、所定の返信メッセージを記憶する所定メッセージ記憶手段を備えており、前記判断手段により一致する識別番号がないと判断された場合に、前記送信手段は、前記所定メッセージ記憶手段に記憶されている所定の返信メッセージを送信するものである。
【００１２】
請求項５記載の多機能周辺装置は、請求項１から４のいずれかに記載の多機能周辺装置において、前記判別手段により前記記憶手段に記憶されているデータが前記転送先装置の識別番号および前記配信先装置の識別情報のいずれでもないと判別された場合に、前記データ受信手段により受信された画像データを記録紙へ印刷する印刷手段を備えている。
【００１３】
【００１４】
【００１５】
【００１６】
【００１７】
【発明の実施の形態】
以下、本発明の好ましい実施例について、図１から図８までの添付図面を参照して説明する。本実施例は、コピー機能やモデム機能、ファクシミリ機能などの多くの機能を１台に備えた多機能周辺装置（ＭＦＤ（Multi Function Device））１を用いて説明する。
【００１８】
図１に、ＭＦＤ１の外観斜視図を示す。ＭＦＤ１の本体２の側部には、受話器３が取り付けられている。受話器３は、非通話時には本体２に設けられた図示しないフック上に置かれ、通話時にはフックから取り上げられて使用される。前者をオンフック状態、後者をオフフック状態と称している。
【００１９】
本体２の上面前部には複数のキー４ａを備えた操作パネル４が設けられ、その操作パネル４の左後部には、液晶表示器（ＬＣＤ）５が設けられている。ＭＦＤ１は、この操作パネル４上に設けられた複数のキー４ａが押下されて操作されるとともに、その操作状態や操作手順などがＬＣＤ５へ表示される。
【００２０】
操作パネル４及びＬＣＤ５の後部には原稿挿入口６が設けられている。ファクシミリ動作時に他のファクシミリ装置へ送信される原稿やコピー動作時に複写される原稿は、この原稿挿入口６に原稿面を下向きにして挿入される。原稿挿入口６へ挿入された原稿は、その原稿画像がスキャナ２２（図２参照）により画像データとして読み取られた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され、プリンタ２５（図２参照）によって印刷に使用された記録紙は、原稿排出口７の下方に設けられた記録紙排出口８から排出される。また、本体２の一側面には、着呼に伴う呼出音を鳴動するためのスピーカ２８が設けられている。
【００２１】
図２は、ＭＦＤ１の電気的構成を示したブロック図である。ＭＦＤ１には、ＣＰＵ１１、ＲＯＭ１２、ＥＥＰＲＯＭ１３、ＲＡＭ１４、画像メモリ１５、音声メモリ１６、インターフェイス３３、音声ＬＳＩ１７、ネットワーク・コントロール・ユニット（以下「ＮＣＵ」と称す）１９、モデム２０、バッファ２１、スキャナ２２、符号化部２３、復号化部２４、プリンタ２５、操作パネル４及びアンプ２７が設けられ、これらはバスライン３０を介して互いに接続されている。
【００２２】
ＮＣＵ１９は回線制御を行うためのものであり、ＭＦＤ１はこのＮＣＵ１９を介して電話回線３１に接続されている。ＮＣＵ１９は、電話回線の閉結前に交換機２９から送信される呼出信号やＩＴＵ−Ｔ（International Telecommunication Union-Telecommunication Standardization Sector）勧告Ｖ．２３に準拠したＭＯＤＥＭ信号などの各種信号を受信するとともに、操作パネル４上のキー４ａ操作に応じた発信時のダイヤル信号を交換機２９へ送信したり、更には通話時におけるアナログ音声信号の送受信を行うものである。
【００２３】
ここで、ＭＯＤＥＭ信号は、いわゆる発信電話番号表示サービス（「ナンバーディスプレイ」、「Caller ID」）により交換機２９から送られる信号であり、そのＭＯＤＥＭ信号のデータ中に相手側装置の電話番号（発信者番号）を示す情報が含まれている。なお、発信者が電話番号の送信を拒否している場合には、ＭＯＤＥＭ信号のデータ中に発信者番号を送信することができない旨の情報が含まれる。
【００２４】
また、発信電話番号表示サービスは、日本をはじめ、アメリカやイギリスなどで実用化されているサービスであり、ＭＦＤ（被呼側装置）１が当該サービスに加入している場合に、交換機から相手側装置（発呼側装置、発信者）の電話番号（発信者番号）をＭＦＤ１へ送信するサービスである。発信者番号が送信されるタイミングは、日本やイギリスでは、呼出信号の直前の無音区間であり、アメリカでは、最初の呼出信号と次の呼出信号との間の無音区間である。このため発信者番号は、ＭＦＤ１の受話器が取り上げられる前に（受話器がオンフック状態のまま）、そのＭＦＤ１によって受信することができる。よって、このサービスを利用すれば、電話回線を閉結する前に、発信者番号をＭＦＤ１の表示器（例えば、ＬＣＤ５）へ表示して、ＭＦＤ１の使用者に発信者を認識させることができるのである。
【００２５】
インターフェイス３３には、ローカルエリアネットワーク（ＬＡＮ（Local Area Network））３４が接続されている。ＭＦＤ１は、そのインターフェイス３３に接続されたＬＡＮ３４を介して、他の装置、即ち、本実施例では、２台のパーソナルコンピュータ（以下「ＰＣ」と称す）（ＰＣ１、ＰＣ２）と、２台のプリンタ（ＰＲ１、ＰＲ２）とに接続されている。このＰＣ１、ＰＣ２、ＰＲ１及びＰＲ２を配信先装置と称している。ＭＦＤ１は、これら配信先装置ＰＣ１，ＰＣ２，ＰＲ１，ＰＲ２との間でＬＡＮ３４を介して、画像データ（ファクシミリデータ）を送信したり、各種コマンドなどの送受信を行っている。
【００２６】
ＣＰＵ１１は、ＮＣＵ１９を介して送受信される各種信号に従って、バスライン３０により接続された各部を制御してファクシミリ動作や電話動作、即ち、データ通信を実行するものである。ＲＯＭ１２は、このＭＦＤ１で実行される制御プログラム１２ａや、固定返信メッセージ１２ｂなどを格納した書換不能なメモリである。なお、図４から図８に示す各フローチャートのプログラムは、制御プログラム１２ａの一部としてＲＯＭ１２内に記憶されている。
【００２７】
固定返信メッセージ１２ｂは、相手側装置から送信された画像データをＭＦＤ１で受信した場合であって、その相手側装置の電話番号が後述する電話番号エリア１３ｂに記憶されていない場合に、若しくは、その相手側装置の電話番号が電話番号エリア１３ｂに記憶されていても後述する送信先エリア１３ｃに返信メッセージに関するデータ（後述する「Ｒ」データ）が記憶されていない場合に、相手側装置へ送信されるメッセージである。よって、新規の取引先など未だ登録されていない相手側装置から画像データを受信した場合には、固定返信メッセージ１２ｂにより、その相手側装置（発信者）へ画像データを受信したことを報知することができるのである。
【００２８】
ＥＥＰＲＯＭ１３は、書換可能な不揮発性のメモリであり、ＥＥＰＲＯＭ１３へ記憶されたデータは、ＭＦＤ１の電源オフ後も保持される。ＥＥＰＲＯＭ１３は、相手側装置メモリ１３ａと返信メッセージメモリ１３ｄとを備えている。
【００２９】
相手側装置メモリ１３ａは、予め、相手側装置の電話番号と、その相手側装置の電話番号に対応するデータとを互いに対応つけて記憶するためのメモリである。図３に、その相手側装置メモリ１３ａの構成を模式的に示す。
【００３０】
図３に示すように、相手側装置メモリ１３ａには、電話番号エリア１３ｂと、送信先エリア１３ｃとが設けられている。電話番号エリア１３ｂは、相手側装置の電話番号を記憶するためのメモリであり、送信先エリア１３ｃは、その相手側装置の電話番号に対応つけて、種々のデータを記憶するためのメモリである。
【００３１】
送信先エリア１３ｃには、「Ｒ」で始まるデータと、「ＰＣ」で始まるデータと、「ＰＲ」で始まるデータと、電話番号のデータと、ＥＮＤコードが記憶されている。その各データおよびＥＮＤコードは、コンマ（，）によって区切られている。送信先エリア１３ｃに記憶されているデータは図３に対して左端のデータから順に取り出され、そのデータに応じた処理がＭＦＤ１によって実行される。ＥＮＤコードは、返信先エリアの最後に必ず記憶されており、送信先エリア１３ｃにデータが記憶されていない場合（４６）にも記憶されている。ＭＦＤ１は、そのＥＮＤコードを取り出した場合に、送信先エリア１３ｃに記憶されている全てのデータに対する処理が終了したと判断する。
【００３２】
送信先エリア１３ｃに「Ｒ」で始まるデータ（Ｒ１、Ｒ２またはＲ３）がある場合には（４１，４２，４３，４５）、その「Ｒ」の後の番号に対応つけて後述する返信メッセージメモリ１３ｄに記憶されている返信メッセージが相手側装置（発信者番号メモリ１４ａに記憶されている発信者番号の相手側装置）へ送信される。このように、画像データの送信元である相手側装置に対してその相手側装置に応じた返信メッセージを送信することができるのである。
【００３３】
送信先エリア１３ｃに「ＰＣ」で始まるデータ（ＰＣ１もしくはＰＣ２）がある場合には（４１，４４）、その「ＰＣ」の後の番号に対応する配信先装置へ、相手側装置から受信した画像データ、即ち、画像メモリ１５に記憶されている画像データが送信（配信）される。また、送信先エリア１３ｃに「ＰＲ」で始まるデータ（ＰＲ１若しくはＰＲ２）がある場合には（４２，４４）、その「ＰＲ」の後の番号に対応する配信先装置へ、画像メモリ１５に記憶されている画像データが送信される。前記したように配信先装置は本ＭＦＤ１とＬＡＮ３４を介して接続されており、そのＬＡＮ３４を介して接続されている配信先装置のうち、相手側装置に応じてその相手側装置からの画像データを配信する配信先装置を個別に設定することができるのである。
【００３４】
送信先エリア１３ｃに電話番号のデータがある場合には（４３）、その電話番号の装置（転送先装置）へ、画像メモリ１５に記憶されている画像データが送信（転送）される。その転送先装置は、本ＭＦＤ１と電話回線を介して接続されている。電話回線を介して接続されている転送先装置へ相手側装置からの画像データを転送する場合、その転送先装置を相手側装置の電話番号に応じて個別に設定することができるのである。
【００３５】
送信先エリア１３ｃに「ＰＣ」または「ＰＲ」で始まるデータがなく、且つ、電話番号のデータがない場合には、送信先エリア１３ｃには「Ｒ」で始まるデータしかない。この場合には（４５）、画像メモリ１５に記憶されている画像データがＭＦＤ１のプリンタ２５によって記録紙へ印刷される。また、送信先エリア１３ｃに全くデータが記憶されていない場合にも（４６）、同様にして、画像データがプリンタ２５によって記録紙へ印刷される。このように、相手側装置から受信した画像データが電話回線を介して接続されている相手側装置にも転送されず、且つ、ＬＡＮ３４を介して接続されている配信先装置へも配信されない場合には、その画像データをＭＦＤ１のプリンタ２５によって記録紙へ印刷することができるのである。
【００３６】
図２に示す返信メッセージメモリ１３ｄは、画像データを受信したことを相手側装置へ報知するための各種返信メッセージを記憶するためのメモリである。この返信メッセージメモリ１３ｄには、前記した送信先エリア１３ｃに記憶されている「Ｒ」で始まるデータの後の番号に対応つけて、返信メッセージがそれぞれ記憶されている。即ち、相手側装置に応じた返信メッセージが個別に記憶されているのである。
【００３７】
ＲＡＭ１４は、ＭＦＤ１の各動作の実行時に各種のデータを一時的に記憶するためのメモリであり、発信者番号メモリ１４ａを備えている。
【００３８】
発信者番号メモリ１４ａは、電話回線の閉結前における着呼に伴い、上述した発信電話番号表示サービスによって交換機２９から送信される相手側装置の電話番号（発信者番号）を一時的に記憶するためのメモリである。このため、着呼があっても交換機２９から相手側装置（発信者）の電話番号が送信されない場合には、発信者番号メモリ１４ａの内容を「０」クリアしている。従って、発信者番号メモリ１４ａの内容を調べて、「０」でなければ、発信者番号メモリ１４ａに記憶される電話番号の相手側装置（発信者）からの着呼であると判断でき、一方、発信者番号メモリ１４ａの内容が「０」であれば、着呼のあった相手側装置（発信者）の電話番号が交換機２９から送信されなったと判断することができるのである。
【００３９】
画像メモリ１５は、通信履歴、画像データ及び印刷のためのビットイメージを記憶するためのメモリであり、安価な大容量メモリであるダイナミックＲＡＭ（ＤＲＡＭ）により構成されている。電話回線の閉結後に相手側装置から送られる画像データ（ファクシミリデータ）は、ＮＣＵ１９によって受信され、この画像メモリ１５に記憶される。受信された画像データは、一旦画像メモリ１５に記憶され、プリンタ２５によって記録紙に印刷された後に、この画像メモリ１５から消去される。一般に、画像データは大容量であるが、画像データが印刷されることを条件にその画像データを消去しているので、画像メモリ１５を有効に使用することができる。
【００４０】
音声メモリ１６は、相手側装置へ送出される応答メッセージや、相手側装置から送られてきた入来メッセージを記憶するためのメモリである。画像メモリ１５と同様に、安価な大容量メモリであるダイナミックＲＡＭ（ＤＲＡＭ）により構成されている。音声メモリ１６に記憶された入来メッセージは、操作パネル４を介して消去操作がなされることにより、或いは、電話回線に接続された他の装置から送られる消去コマンドを受信することによって、消去される。
【００４１】
音声ＬＳＩ１７は、ＮＣＵ１９によって受信されたアナログ音声信号をデジタル音声信号に変換する音声認識処理と、ＭＦＤ１の内部で生成されたデジタル音声信号をアナログ音声信号に変換して、ＮＣＵ１９やスピーカ２８（アンプ２７）へ出力する音声合成処理とを行うためのものである。モデム２０は、画情報及び通信データを変調及び復調して伝送すると共に伝送制御用の各種手順信号を送受信するためのものであり、バッファ２１は、相手側装置との間で送受信される符号化された画情報を含むデータを一時的に記憶するためのものである。
【００４２】
スキャナ２２は、原稿挿入口６に挿入された原稿を画像データとして読み取るためのものである。符号化部２３は、スキャナ２２により読み取られた画像データの符号化を行うものである。復号化部２４は、バッファ２１または画像メモリ１５に記憶された画像データを読み出して、これを復号化するものであり、復号化されたデータは、プリンタ２５により記録紙に印刷される。操作パネル４は、操作者がこのＭＦＤ１の設定等を行う場合に各種の操作を行うためのものであり、アンプ２７は、そのアンプ２７に接続されたスピーカ２８を鳴動して、呼出音や音声を出力するためのものである。
【００４３】
このように構成されたＭＦＤ１は、ＮＣＵ１９を介して、電話回線３１に接続されている。電話回線３１は、ＭＦＤ１の交換機２９に接続され、交換機２９は、電話回線３２を介して、他の交換機に接続されている。なお、他の交換機は、更に電話回線を介して、相手側装置へ接続されている。
【００４４】
次に図４から図８までのフローチャートを参照して、上記のように構成されたＭＦＤ１の動作について説明する。図４は、送信処理を示したフローチャートであり、この送信処理は、相手側装置から送られる画像データを受信した場合に実行する処理である。
【００４５】
図４に示すように、交換機２９から送られる呼出信号の受信を待機し（Ｓ１：Ｎｏ）、呼出信号を受信すれば（Ｓ１：Ｙｅｓ）、上述した発信電話番号表示サービスによって交換機２９から送られる発信者番号（相手側装置の電話番号）を受信したか否かを判断する（Ｓ２）。判断の結果、発信者番号を受信した場合には（Ｓ２：Ｙｅｓ）、その受信した発信者番号をＲＡＭ１４の発信者番号メモリ１４ａへ書き込む（Ｓ３）。一方、本ＭＦＤ１が発信電話番号表示サービスに加入していても、発信者が電話番号の送信を拒否している場合には、交換機２９から発信者番号は送信されないので、発信者番号を受信することができない。よって、かかる場合には（Ｓ２：Ｎｏ）、発信者番号メモリ１４ａの内容を「０」クリアして（Ｓ４）、発信者番号が受信できなかったことを記憶する。
【００４６】
次に、電話回線を閉結して（Ｓ５）、相手側装置から送られる画像データをメモリ受信する（Ｓ５）。即ち、ＭＦＤ１は、相手側装置から送られる画像データを画像メモリ１５へ書き込むのである。その後、電話回線を開放する（Ｓ７）。
【００４７】
電話回線の開放後、発信者番号メモリ１４ａの内容が「０」であるか否かを確認する（Ｓ８）。発信者番号メモリ１４ａの内容が「０」である場合には（Ｓ８：Ｙｅｓ）、発信者番号を受信することができなかったので、処理をＳ２１へ移行して、そのメモリ受信した画像データ、即ち、画像メモリ１５に記憶されている画像データをＭＦＤ１のプリンタ２５によって記録紙へ印刷する（Ｓ２１）。印刷後、この送信処理を終了する。
【００４８】
一方、発信者番号メモリ１４ａの内容が「０」でなければ（Ｓ８：Ｎｏ）、即ち、発信者番号メモリ１４ａに発信者番号が記憶されていれば、その発信者番号メモリ１４ａの内容が相手側装置メモリ１３ａ内の電話番号エリア１３ｂに記憶されているか否か確認する（Ｓ９）。受信した発信者番号に対応する電話番号が電話番号エリア１３ｂに記憶されている場合には（Ｓ９：Ｙｅｓ）、その発信者番号と同一の電話番号に対応する送信先エリア１３ｃにデータがあるか否かを確認する（Ｓ１０）。
【００４９】
送信先エリア１３ｃにデータがある場合には（Ｓ１０：Ｙｅｓ）、その送信先エリア１３ｃの最初のデータを取り出し（Ｓ１１）、その取り出したデータが「Ｒ」で始まるか否かを確認する（Ｓ１２）。その取り出したデータが「Ｒ」で始まる場合には（Ｓ１２：Ｙｅｓ）、図５に示す第１返信処理を実行する（Ｓ１３）。
【００５０】
図５の第１返信処理は、相手側装置の電話番号に応じた返信メッセージを相手側装置へ送信（返信）する処理である。図５に示すように、まず、電話回線を閉結して返信先装置、即ち、発信者番号メモリ１４ａに記憶されている発信者番号の相手側装置へ発呼する（Ｓ３１）。その後、返信先装置が電話回線を閉結するまで待機し（Ｓ３２：Ｎｏ）、返信先装置が電話回線を閉結すれば（Ｓ３２：Ｙｅｓ）、Ｓ１１の処理で取り出した「Ｒ」で始まるデータの後の番号に対応する返信メッセージを返信先装置へ送信する（Ｓ３３）。即ち、「Ｒ」の後の番号が「１」である場合には、その「１」に対応して返信メッセージメモリ１３ｄに記憶されている返信メッセージが送信され、かかる番号が「２」である場合には、その「２」に対応して返信メッセージメモリ１３ｄに記憶されている返信メッセージが送信される。以下、「３」、「４」など「２」より大きい数字の場合についても同様であるので説明を省略する。Ｓ３３の処理における返信メッセージの送信後に、電話回線を開放して（Ｓ３４）、この第１返信処理を終了する。
【００５１】
このように、第１返信処理では、発信者番号メモリ１４ａの内容と同一の電話番号に対応する送信先エリア１３ｃに「Ｒ」で始まるデータがある場合には、その「Ｒ」の後の番号に対応する返信メッセージが相手側装置へ送信される。よって、予め、返信メッセージメモリ１３ｄに送信したいメッセージを登録しておけば、画像データの送信元である相手側装置に対してその相手側装置に応じた返信メッセージを送信することができるのである。
【００５２】
第１返信処理（Ｓ１３）の終了後は、処理を図４のＳ１８へ移行して、送信先エリア１３ｃに記憶されている次のデータを取り出す（Ｓ１８）。
【００５３】
Ｓ１２の処理において、Ｓ１１の処理で取り出したデータが「Ｒ」で始まらない場合には（Ｓ１２：Ｎｏ）、その取り出したデータが「ＰＣ」または「ＰＲ」で始まるか否かを確認する（Ｓ１４）。その取り出したデータが「ＰＣ」または「ＰＲ」で始まる場合には（Ｓ１４：Ｙｅｓ）、図６に示す配信処理を実行する（Ｓ１５）。
【００５４】
図６の配信処理は、ＬＡＮ３４を介して接続されている配信先装置のうち、Ｓ１１の処理で取り出したデータに対応する装置へ、相手側装置から送られた画像データを配信（送信）する処理である。図６に示すように、まず、Ｓ１１の処理で取り出したデータが「ＰＣ」で始まるか否かを確認する（Ｓ４１）。そのデータが「ＰＣ」で始まる場合には（Ｓ４１：Ｙｅｓ）、その「ＰＣ」の後の番号に対応するＰＣの電源がオンであるか否かを判断する（Ｓ４２）。即ち、「ＰＣ」の後の番号が「１」である場合には、ＰＣ１の電源がオンであるか否かを判断し、一方、かかる番号が「２」である場合には、ＰＣ２の電源がオンであるか否かを判断する。この電源オンの判断は、ＳＥＬＩＮ（Select In）信号のＨｉｇｈ／Ｌｏｗチェックによって行われる。ＳＥＬＩＮ信号がＨｉｇｈである場合には電源はオフであると判断し、一方、ＳＥＬＩＮ信号がＬｏｗである場合には電源はオンであると判断する。
【００５５】
Ｓ４２の処理における判断の結果、該当するＰＣの電源がオンであれば（Ｓ４２：ＯＮ）、そのＰＣへ、受信した画像データ、即ち、画像メモリ１５に記憶されている画像データを配信（送信）する（Ｓ４３）。配信後、この配信処理を終了する。
【００５６】
このように、発信者番号メモリ１４ａの内容と同一の電話番号に対応する送信先エリア１３ｃに「ＰＣ」で始まるデータがある場合には、その「ＰＣ」の後の番号に対応するＰＣへ画像メモリ１５に記憶されている画像データが配信される。よって、ＬＡＮ３４を介して接続されているＰＣのうち、相手側装置に応じてその相手側装置からの画像データを配信するＰＣを個別に設定することができるのである。
【００５７】
一方、Ｓ４１の処理において、Ｓ１１の処理で取り出したデータが「ＰＣ」で始まらない場合には（Ｓ４１：Ｎｏ）、そのデータは「ＰＲ」で始まるので、その「ＰＲ」の後の番号に対応するプリンタの電源がオンであるか否かを判断する（Ｓ４４）。即ち、「ＰＲ」の後の番号が「１」である場合には、ＰＲ１の電源がオンであるか否かを判断し、一方、かかる番号が「２」である場合には、ＰＲ２の電源がオンであるか否かを判断する。この電源オンの判断は、上述したＰＣの場合と同様に、ＳＥＬＩＮ信号のＨｉｇｈ／Ｌｏｗチェックにより行われる。
【００５８】
Ｓ４４の処理における判断の結果、データに対応するプリンタの電源がオンである場合には（Ｓ４４：ＯＮ）、そのプリンタへ、受信した画像データ、即ち、画像メモリ１５に記憶されている画像データを送信する（Ｓ４５）。プリンタへ送信された画像データは、そのプリンタによって記録紙へ印刷される。画像データの配信後、この配信処理を終了する。
【００５９】
このように、発信者番号メモリ１４ａの内容と同一の電話番号に対応する送信先エリア１３ｃに「ＰＲ」で始まるデータがある場合には、その「ＰＲ」の後の番号に対応するプリンタへ画像メモリ１５に記憶されている画像データが送信される。よって、ＬＡＮ３４を介して接続されているプリンタのうち、相手側装置に応じてその相手側装置からの画像データを配信するプリンタを個別に設定することができるのである。
【００６０】
Ｓ４４の処理においてプリンタの電源がオフである場合（Ｓ４４：ＯＦＦ）、若しくは、Ｓ４２の処理においてＰＣの電源がオフである場合には（Ｓ４２：ＯＦＦ）、画像メモリ１５に記憶されている画像データをＰＣ若しくはプリンタへ配信することができない。このため、その画像データをＭＦＤ１のプリンタ２５によって記録紙へ印刷する（Ｓ４６）。印刷後、この配信処理を終了する。
【００６１】
配信処理（Ｓ１５）の終了後は、処理を図４のＳ１８へ移行して、送信先エリア１３ｃに記憶されている次のデータを取り出す（Ｓ１８）。
【００６２】
Ｓ１４の処理において、Ｓ１１の処理で取り出したデータが「ＰＣ」または「ＰＲ」で始まらない場合には（Ｓ１４：Ｎｏ）、Ｓ１２の処理においてそのデータが「Ｒ」で始まるデータでないと確認されているので、そのデータが電話番号であるか否かを確認する（Ｓ１６）。そのデータが電話番号である場合には（Ｓ１６：Ｙｅｓ）、図７に示す転送処理を実行する（Ｓ１７）。
【００６３】
図７の転送処理は、電話回線を介して接続されている転送先装置へ画像メモリ１５に記憶されている画像データを送信する場合に、その転送先装置を発信者番号メモリ１４ａの内容に応じて変更する処理である。図７に示すように、まず、電話回線を閉結して転送先の装置、即ち、Ｓ１１の処理で取り出したデータ（電話番号）の装置へ発呼する（Ｓ５１）。その後、転送先装置が電話回線を閉結するまで待機し（Ｓ５２：Ｎｏ）、転送先装置が電話回線を閉結すれば（Ｓ５２：Ｙｅｓ）、相手側装置から受信した画像データ、即ち、画像メモリ１５に記憶されている画像データを転送先装置へ送信する（Ｓ５３）。送信後、電話回線を開放して（Ｓ５４）、この転送処理を終了する。
【００６４】
このように、転送処理では、発信者番号メモリ１４ａの内容と同一の電話番号に対応する送信先エリア１３ｃに電話番号のデータがある場合には、その電話番号の装置（転送先装置）へ画像メモリ１５に記憶されている画像データが送信される。よって、電話回線を介して接続されている転送先装置へ相手側装置からの画像データを転送する場合、その転送先装置を相手側装置の電話番号に応じて個別に設定することができるのである。
【００６５】
転送処理（Ｓ１７）の終了後は、処理を図４のＳ１８へ移行して、送信先エリア１３ｃに記憶されている次のデータを取り出す（Ｓ１８）。
【００６６】
次に、Ｓ１８の処理において取り出したデータがＥＮＤコードであるか否かを確認する（Ｓ１９）。そのデータがＥＮＤコードでない場合には（Ｓ１９）、処理をＳ１２へ移行して、Ｓ１２からＳ１７までの処理を繰り返す。一方、かかるデータがＥＮＤコードである場合には（Ｓ１９：Ｙｅｓ）、発信者番号メモリ１４ａの内容に対応する送信先エリア１３ｃの全てのデータに対して処理が終了したので、その処理が終了したデータ中に「ＰＣ」、「ＰＲ」若しくは電話番号のデータがあったか否かを確認する（Ｓ２０）。
【００６７】
かかる送信先エリア１３ｃのデータ中に「ＰＣ」、「ＰＲ」若しくは電話番号のデータがない場合には、メモリ受信した画像データ、即ち、画像メモリ１５に記憶されている画像データが、ＬＡＮ３４を介して接続されているＰＣまたはプリンタへ配信されておらず、且つ、電話回線を介して接続されている転送先装置へも転送されてもいない。よって、この場合には（Ｓ２０：Ｎｏ）、かかる画像データをＭＦＤ１のプリンタ２５によって記録紙へ印刷する（Ｓ２１）。印刷後は、この送信処理を終了する。一方、かかるデータ中に「ＰＣ」、「ＰＲ」若しくは電話番号のデータがある場合には（Ｓ２０：Ｙｅｓ）、画像データを他の装置へ送信済みであるので、Ｓ２１の処理をスキップして、この送信処理を終了する。なお、この送信処理の終了前に、画像メモリ１５に記憶されている画像データは消去される。
【００６８】
このように、発信者番号メモリの内容と同一の電話番号に対応する送信先エリア１３ｃに「ＰＣ」、「ＰＲ」若しくは電話番号のデータがない場合には、画像メモリ１５に記憶されている画像データがＭＦＤ１のプリンタ２５によって記録紙へ印刷される。よって、相手側装置から受信した画像データが電話回線を介して接続されている相手側装置へ転送されず、且つ、ＬＡＮ３４を介して接続されている配信先装置へも配信されない場合には、その画像データはＭＦＤ１のプリンタ２５によって記録紙へ印刷されるのである。従って、画像データが画像メモリ１５に記憶された状態のまま放置されてしまうことを防止して、画像メモリ１５を有効に使用することができるのである。
【００６９】
Ｓ９の処理において発信者番号メモリ１４ａの内容が電話番号エリア１３ｂに記憶されていない場合（Ｓ９：Ｎｏ）、若しくは、Ｓ１０の処理において発信者番号メモリ１４ａの内容と同一の電話番号に対応する送信先エリア１３ｃにデータがない場合には（Ｓ１０：Ｎｏ）、図８に示す第２返信処理を実行する（Ｓ２２）。
【００７０】
図８の第２返信処理は、画像データの送信元である相手側装置へ固定のメッセージである固定返信メッセージ１２ｂを送信（返信）する処理である。図８に示すように、まず、電話回線を閉結して返信先装置、即ち、発信者番号メモリ１４ａに記憶されている発信者番号の相手側装置へ発呼する（Ｓ６１）。その後、返信先装置が電話回線を閉結するまで待機し（Ｓ６２：Ｎｏ）、返信先装置が電話回線を閉結すれば（Ｓ６２：Ｙｅｓ）、ＲＯＭ１２内に記憶されている固定返信メッセージ１２ｂを返信先装置へ送信する（Ｓ６３）。この場合、発信者番号メモリ１４ａの内容に拘らず、返信先装置には同一のメッセージが送信される。Ｓ６３の処理における返信後は、電話回線を開放して（Ｓ６４）、この第２返信処理を終了する。
【００７１】
このように、第２返信処理では、発信者番号メモリ１４ａが電話番号エリア１３ｂに記憶されていない場合、若しくは、発信者番号メモリ１４ａの内容と同一の電話番号に対応する送信先エリア１３ｃにデータがない場合には、発信者番号メモリ１４ａの内容の相手側装置へＲＯＭ１２内の固定返信メッセージ１２ｂが送信される。よって、新規の取引先など未だ登録していない相手側装置から画像データを受信した場合にも、その相手側装置（発信者）へ画像データを受信したことを報知することができるのである。
【００７２】
第２返信処理の終了後は、処理を図４のＳ２１へ移行して、メモリ受信した画像データ、即ち、画像メモリ１５に記憶されている画像データをＭＦＤ１のプリンタ２５によって印刷する（Ｓ２１）。印刷後は、この送信処理を終了する。
【００７３】
なお、本実施例において、請求項１に記載のデータ受信手段としてはＳ５からＳ７までの処理が、判断手段としてはＳ９の処理が、判別手段としては、Ｓ１１、Ｓ１２、Ｓ１４、Ｓ１６、Ｓ１８、Ｓ１９の処理が、送信手段としては、Ｓ１３、Ｓ１７、Ｓ１５の処理が該当する。請求項２に記載の発呼手段としてはＳ３１、Ｓ５１、及びＳ６１の処理が、確認手段としてはＳ４２、Ｓ４４の処理がそれぞれ該当する。
【００７４】
以上、実施例に基づき本発明を説明したが、本発明は上記実施例に何ら限定されるものではなく、本発明の趣旨を逸脱しない範囲内で種々の改良変形が可能であることは容易に推察できるものである。
【００７５】
例えば、本実施例では、送信処理において、発信電話番号表示サービスにより画像データの送信元である相手側装置の電話番号を受信していた。即ち、電話回線の閉結前に交換機２９から送られる相手側装置の電話番号をＮＣＵ１９によって受信していた。しかしながら、相手側装置の電話番号の受信は、必ずしも、発信電話番号表示サービスによる交換機２９から送られる電話番号に限られるものではなく、相手側装置とファクシミリ装置との間で所定のプロトコルに沿って送受信される信号の１つであるＴＳＩ信号によって受信するようにしても良い。このようにすることにより、電話回線の閉結前に交換機２９から送られる相手側装置の電話番号が受信されなくても、電話回線の閉結後に相手側装置から送られるその相手側装置の電話番号をＴＳＩ信号により受信した場合には、その相手側装置（発信者）へ画像データを受信したことを報知することができるのである。
【００７６】
また、本実施例では、第１返信処理のＳ３３の処理において、相手側装置の電話番号に対応する返信メッセージを相手側装置（返信先装置）へ送信していた。即ち、相手側装置の電話番号に対応して返信メッセージメモリ１３ｄに記憶されている返信メッセージを相手側装置へ送信していた。また、第２返信処理のＳ６３の処理において、ＲＯＭ１２内の固定返信メッセージ１２ｂを相手側装置（返信先装置）へ送信していた。しかしながら、相手側へ送信される返信メッセージは、必ずしも、返信メッセージメモリ１３ｄに記憶されている返信メッセージやＲＡＭ１４内の固定返信メッセージ１２ｂに限られるものではなく、相手側装置から受信した画像データを相手側装置へ送信するようにしても良い。このようにすることにより、例えば、発信者が複数枚の原稿分の画像データを送信しても、いずれの原稿の画像データが本ＭＦＤ１によって受信されたのかを認識することができるのである。
【００７７】
更に、本実施例では、送信処理（図４）において、交換機２９から送られる発信者番号をＲＡＭ１４内の発信者番号メモリ１４ａに書き込み、相手側装置から送られる画像データをＤＲＡＭで構成されている画像メモリ１５に書き込んでいた。しかしながら、これら発信者番号と画像データの記憶は、必ずしも、発信者番号メモリ１４ａや画像メモリ１５などの揮発性のメモリに限られるものではなく、ＥＥＰＲＯＭ１３などの不揮発性メモリに記憶するようにしても良い。このようにすることにより、相手側装置から送られる画像データをメモリ受信し且つその相手側装置へ返信メッセージを送信した後に、停電などによってＭＦＤ１の電源がオフされても、相手側装置から受信した画像データの消失を防止することができるのである。
【００７８】
【発明の効果】
請求項１記載の多機能周辺装置によれば、画像データを受信したことを相手側装置（発信者）へ報知することができるという効果がある。即ち、相手側装置から画像データを受信した場合、回線の閉結後に相手側装置から送られる相手側装置の識別番号を受信することができなくても、回線の閉結前に交換機側から送られる相手側装置の識別番号を受信して、その相手側装置へ画像データを受信したことを報知することができるという効果がある。これにより、発信者は、本多機能周辺装置から送られた返信メッセージを見て、画像データが受信されるべき目的の装置によって受信されたか否かを判断することができるのである。
また、相手側装置の識別番号に対応つけて記憶手段に記憶されているデータは、判別手段により、順に読込まれると共に、その種類が判別される。その結果、返信メッセージであれば、その返信メッセージが対応する相手側装置に送信され、転送先装置の識別番号であれば、その転送先装置へ受信した画像データが送信され、配信先装置の識別情報であれば、その配信先装置へ受信した画像データが送信される。即ち、記憶手段に記憶されている各データには、各データの種類に応じた処理が割り当てられており、判別手段により、そのデータの種類を判別することで、そのデータの種類に応じた処理をすることができるという効果がある。
更に、返信メッセージや、転送先装置の識別番号や、配信先装置の識別情報は、予め、記憶手段に記憶されている相手側装置の識別番号の各々に対応して記憶されているので、画像データの送信元である相手側装置に対してその相手側装置に応じた返信メッセージを送信でき、相手側装置に応じて、受信した画像データを転送する転送先装置を変更することができ、相手側装置に応じて、受信した画像データを配信する配信先装置を変更することができるという効果がある。
【００７９】
請求項２記載の多機能周辺装置によれば、請求項１に記載の多機能周辺装置の奏する効果に加え、相手側装置に返信メッセージを送信する場合や転送先装置に受信した画像データを転送する場合には、予め、発呼手段により、相手側装置または転送先装置を発呼し、発呼した相手側装置または転送先装置と回線を閉結した後に、返信メッセージを相手側装置に送信し、受信した画像データを転送先装置に転送するので、返信メッセージや受信した画像データを確実に相手側装置または転送先装置に送信することができるという効果がある。
また、データ受信手段により受信した画像データを配信先装置へ送信する場合には、予め、確認手段により、配信装置の電源が入力されているか否かが確認され、電源が入力されていると確認された後に、受信した画像データを配信先装置へ送信するので、データ受信手段により受信した画像データを配信先装置へ確実に送信することができるという効果がある。
【００８０】
請求項３記載の多機能周辺装置によれば、請求項１又は２記載の多機能周辺装置の奏する効果に加え、更に、回線の閉結前に交換機側から送られる相手側装置の識別番号が第１番号受信手段により受信されなくても、回線の閉結後に相手側装置から送られる相手側装置の識別番号を第２番号受信手段により受信するので、相手側装置から送られる画像データを受信した場合に、その画像データを受信したことを相手側装置（発信者）へ報知することができるという効果がある。
【００８１】
請求項４記載の多機能周辺装置によれば、請求項１から３のいずれかに記載の多機能周辺装置の奏する効果に加え、更に、記憶手段に記憶されている相手側装置の識別番号の中に、第１番号受信手段もしくは第２番号受信手段により受信された相手側装置の識別番号と一致するものがない場合には、所定のメッセージを相手側装置へ送信することができるという効果がある。例えば、新規の取引先など未だ登録していない相手側装置から画像データを受信した場合にも、その相手側装置へ画像データを受信したことを報知することができるのである。
【００８２】
請求項５記載の多機能周辺装置によれば、請求項１から４のいずれかに記載の多機能周辺装置の奏する効果に加え、更に、判別手段により記憶手段に記憶されているデータが転送先装置の識別番号および配信先装置の識別情報のいずれでもないと判別された場合には、データ受信手段により受信された画像データは印刷手段によって記録紙へ印刷される。即ち、画像データが回線を介して接続されている転送先装置へ送信されず、且つ、画像データがローカルエリアネットワークにより接続されている配信先装置へも配信されない場合には、その画像データを本多機能周辺装置において記録紙へ印刷することができるという効果がある。従って、画像データが本多機能周辺装置に記憶された状態のまま放置されてしまうことを防止することができるという効果がある。
【００８３】
【００８４】
【図面の簡単な説明】
【図１】本発明の一実施例である多機能周辺装置（ＭＦＤ）の斜視図である。
【図２】上記多機能周辺装置（ＭＦＤ）の電気的構成を示したブロック図である。
【図３】ＥＥＰＲＯＭ内の電話番号メモリの構成を模式的に示した図である。
【図４】送信処理を示したフローチャートである。
【図５】第１返信処理を示したフローチャートである。
【図６】配信処理を示したフローチャートである。
【図７】転送処理を示したフローチャートである。
【図８】第２返信処理を示したフローチャートである。
【符号の説明】
１              多機能周辺装置（ＭＦＤ）
１２            ＲＯＭ１２（所定メッセージ記憶手段）
１２ｂ          固定返信メッセージ
１３ ＥＥＰＲＯＭ（記憶手段）
１３ａ          相手側装置メモリ（記憶手段の一部）
１３ｄ          返信メッセージメモリ（記憶手段の一部）
１９            ネットワーク・コントロール・ユニット（ＮＣＵ）（第１番号受信手段、第２番号受信手段およびデータ受信手段の一部）
２０            モデム（第１番号受信手段、第２番号受信手段およびデータ受信手段の一部）
２１            バッファ（第１番号受信手段、第２番号受信手段およびデータ受信手段の一部）
２５            プリンタ（印刷手段）
２９            交換機
３１，３２      電話回線（回線）
３４            ローカルエリアネットワーク（ＬＡＮ）
ＰＲ１，ＰＲ２  プリンタ（配信先装置の一部）
ＰＣ１，ＰＣ２  パーソナルコンピュータ（ＰＣ）（配信先装置の一部）
【図１】
0003598834.tif 000002
【図２】
0003598834.tif 000003
【図３】
0003598834.tif 000004
【図４】
0003598834.tif 000005
【図５】
0003598834.tif 000006
【図６】
0003598834.tif 000007
【図７】
0003598834.tif 000008
【図８】
0003598834.tif 000009